(57)【要約】【課題】加温販売している商品がある自動販売機のシュート面の汚れを拭き取る作業を行う場合に、オペレータが素手でシュートに触れて火傷や怪我をしてしまう可能性が少ない自動販売機を提供する。【解決手段】収納室２内で循環させる庫内ファン１２と、内扉５の開閉を検知する内扉開閉検知手段と、加温装置１０による加温時に内扉開閉検知手段により内扉５が開いたことを検知すると庫内ファン１２を強制的に強風運転させるシュート冷却制御手段を備えたもので、内扉５を開いた際に強風運転させることで、従来よりも早くシュート表面の温度を低下すると共に、オペレータはシュート９が充分に冷却されるまで待つ必要があることに気付き易くすることができる。【選択図】図１
2014153796.tif 000002
【特許請求の範囲】
【請求項１】
前面を開口した収納室と、前記収納室内に設けられ商品を収容する商品収容コラムと、下部に普段は閉じていて前記商品収容コラムから搬出された商品により押し開かれる商品搬出口を有し前記収納室の前面の開口部を開閉する内扉と、前記商品搬出口を通過した商品を取り出すための商品取出口を有し前記内扉の外側に設けられた外扉と、前記収納室内における前記商品収容コラムの下方に配置され空気循環用の通風孔を有し前方に向かって低く傾斜して前記商品収容コラムより搬出された商品を前記商品搬出口へ導くシュートと、前記収納室内で前記シュートの下方背面側に配置された加温装置及び冷却ユニットと、前記シュートと前記収納室の奥面との間に配置され上部と下部前面にそれぞれ形成された開口部により前記シュートの上下の空間を連通させるダクトと、前記ダクトと前記加温装置及び冷却ユニットを通った空気を前記シュート側に送風して前記収納室内で循環させる庫内ファンと、前記内扉の開閉を検知する内扉開閉検知手段と、前記加温装置による加温時に前記内扉開閉検知手段により前記内扉が開いたことを検知すると前記庫内ファンを強制的に強風運転させるシュート冷却制御手段とを備えたことを特徴とする自動販売機。
【請求項２】
前記外扉の開閉を検知する外扉開閉検知手段と、前記外扉開閉検知手段により前記外扉が開いたことを検知すると前記加温装置を停止させる加温運転制御手段とを備えたことを特徴とする請求項１記載の自動販売機。
【請求項３】
前記外扉のロックが解除されたことを検知するロック解除検知手段と、前記ロック解除検知手段により前記外扉のロックが解除されたことを検知すると前記加温装置を停止させる加温運転制御手段とを備えたことを特徴とする請求項１記載の自動販売機。
【発明の詳細な説明】
【技術分野】
【０００１】
本発明は、缶またはＰＥＴボトルからなる容器に飲料を充填した飲料商品を冷却または加温して販売する自動販売機に関するものである。
【背景技術】
【０００２】
この種の自動販売機は、図１０に示すように、自動販売機本体１に形成され前面を開口した収納室２と、収納室２内に設けられ商品を収容する商品収容コラム３と、下部に普段は閉じていて商品収容コラム３から搬出された商品により押し開かれる商品搬出口４を有し収納室２の前面の開口部を開閉する内扉５と、商品搬出口４を通過した商品を取り出すための商品取出口６を有し内扉５の外側に設けられた外扉７と、収納室２内における商品収容コラム３の下方に配置され空気循環用の通風孔８を有し前方に向かって低く傾斜して商品収容コラム３より搬出された商品を傾斜により商品搬出口４へ導くシュート９と、収納室２内でシュート９の下方背面側に配置された加温装置１０、冷却ユニット１１、庫内ファン１２と、シュート９と収納室２の奥面との間に配置され上部と下部前面にそれぞれ形成された開口部によりシュート９の上下の空間を連通させるダクト１３とを有している（例えば、特許文献１参照）。
【０００３】
なお、冷却ユニット１１は、圧縮機１４と庫外ファン１５と凝縮器１６と蒸発器１７とを備え、圧縮機１４と凝縮器１６と蒸発器１７は順次環状に連接されて冷凍サイクルを構成している。
【０００４】
また、冷却ユニット１１の蒸発器１７は、ダクト１３の下部前面の開口部と対向するように収納室２内でシュート９の下方背面側に配置され、収納室２内の空気と熱交換して収納室２内の空気を冷却する。
【０００５】
一方、冷却ユニット１１の圧縮機１４と庫外ファン１５と凝縮器１６は、自動販売機本体１の収納室２の下方に形成された機械室１８に、前方から後方に向かって、凝縮器１６、庫外ファン１５、圧縮機１４の順に配置される。
【０００６】
庫内ファン１２の風上側には蒸発器１７が配置され、庫内ファン１２の風下側には加温装置１０が配置される。そして、庫内ファン１２は、ダクト１３と加温装置１０及び冷却ユニット１１を通った空気をシュート９側（前方）に送風して収納室２内で循環させる。
【０００７】
庫外ファン１５は、外気を機械室１８内に導入して凝縮器１６と圧縮機１４とを冷却する。
【先行技術文献】
【特許文献】
【０００８】
【特許文献１】特開２００１−５２２４９号公報
【発明の概要】
【発明が解決しようとする課題】
【０００９】
一般に、加温装置１０は、加温装置１０の熱を収納室２内の商品収容コラム３の加温に有効に利用するために、庫内ファン１２の風下側で、シュート９の近くに位置している。そのため、一般に金属板で構成されるシュート９は、加温装置１０の熱の影響を受けやすい。
【００１０】
また、商品収容コラムの収容スペースを大きくするために、シュート９の傾斜を緩やかに（傾斜角度を小さく）している自動販売機では、シュート９の上面側に形成されるシュート面が汚れると、商品のすべり（転がり）が悪くなり、商品収容コラム３より搬出された商品を商品搬出口４にスムーズに導くことができなくなり、商品搬出口４を押し開く商品の力が弱い場合には、商品が商品搬出口４を通過できず、商品の搬出不良を起こす原因となる。
【００１１】
そのため、自動販売機のオペレータは、定期的に、外扉７と内扉５を開いて、雑巾などでシュート９のシュート面の汚れを拭き取っているが、加温販売している商品がある場合に、加温装置１０の熱の影響で高温状態のシュート９に素手で触れてしまったために、手に火傷をすることがあり、また、手に火傷をしないまでも、シュート９の予想外の熱さに、思わず跳び上がったり、思わず手を引っ込めたりしたときに、身体のどこかを何かにぶつけて怪我をすることがあった。
【００１２】
本発明は、上記従来の課題を解決するものであり、加温販売している商品がある自動販売機のシュート面の汚れを拭き取る作業を行う場合に、オペレータが素手でシュートに触れて火傷や怪我をしてしまう可能性が少ない自動販売機を提供することを目的とする。
【課題を解決するための手段】
【００１３】
上記目的を達成するために、本発明の自動販売機は、前面を開口した収納室と、前記収納室内に設けられ商品を収容する商品収容コラムと、下部に普段は閉じていて前記商品収容コラムから搬出された商品により押し開かれる商品搬出口を有し前記収納室の前面の開口部を開閉する内扉と、前記商品搬出口を通過した商品を取り出すための商品取出口を有し前記内扉の外側に設けられた外扉と、前記収納室内における前記商品収容コラムの下方に配置され空気循環用の通風孔を有し前方に向かって低く傾斜して前記商品収容コラムより搬出された商品を前記商品搬出口へ導くシュートと、前記収納室内で前記シュートの下方背面側に配置された加温装置及び冷却ユニットと、前記シュートと前記収納室の奥面との間に配置され上部と下部前面にそれぞれ形成された開口部により前記シュートの上下の空間を連通させるダクトと、前記ダクトと前記加温装置及び冷却ユニットを通った空気を前記シュート側に送風して前記収納室内で循環させる庫内ファンと、前記内扉の開閉を検知する内扉開閉検知手段と、前記加温装置による加温時に前記内扉開閉検知手段により前記内扉が開いたことを検知すると前記庫内ファンを強制的に強風運転させるシュート冷却制御手段とを備えたのである。
【００１４】
上記構成において、オペレータが、加温装置による加温時に内扉を開くと、シュート冷却制御手段が、内扉開閉検知手段により内扉が開いたことを検知して、庫内ファンを強制的に強風運転させる。
【００１５】
ここで、シュートは、一般に比較的熱伝導性のある材料である金属板で構成され、空気循環用の通風孔が形成されているために、放熱性能に優れており、庫内ファンからの空気流との熱交換が促進され、シュートの表面温度が、庫内ファンを強制運転していなかった従来よりも早く低下すると共に、内扉を開いた直後に庫内ファンが強風運転を始めたことと、シュートを通過した熱風がシュートの前方に居るオペレータに当たることで、加温時で内扉を開いた直後はシュートの表面温度が高く、シュート面の拭き取り作業は、シュートが充分に冷却されるまで（シュートを通過した風の温度が適度に低下するまで）待つ必要があることにオペレータが気付き易くなる。
【００１６】
そのため、加温販売している商品がある自動販売機のシュート面の汚れを拭き取る作業を行う場合に、オペレータが素手でシュートに触れて火傷や怪我をしてしまう可能性が少なくなる。
【発明の効果】
【００１７】
本発明の自動販売機は、加温装置による加温時に内扉を開くと、庫内ファンが強制的に強風運転されて、シュートの表面温度が、庫内ファンを強制運転していなかった従来よりも早く低下する。また、内扉を開いた直後に庫内ファンが強風運転を始めたことと、シュートを通過した熱風がシュートの前方に居るオペレータに当たることで、加温時で内扉を開いた直後はシュートの表面温度が高く、シュート面の拭き取り作業は、シュートが充分に冷却されるまで（シュートを通過した風の温度が適度に低下するまで）待つ必要があることにオペレータが気付き易くなる。
【００１８】
そのため、加温販売している商品がある自動販売機のシュート面の汚れを拭き取る作業を行う場合に、オペレータが素手でシュートに触れて火傷や怪我をしてしまう可能性が少なくなる。
【００１９】
また、シュートの冷却が送風により促進されることで、オペレータはシュート表面の汚れを拭き取る作業の開始時間を早めることができ、シュート表面の汚れを拭き取る作業を効率的に行うことができる。
【図面の簡単な説明】
【００２０】
【図１】本発明の実施の形態１における自動販売機の縦断面図
【図２】本発明の実施の形態１よる自動販売機の機能ブロック図
【図３】本発明の実施の形態１の自動販売機の制御を示すフローチャート
【図４】本発明の実施の形態２における自動販売機の縦断面図
【図５】本発明の実施の形態２よる自動販売機の機能ブロック図
【図６】本発明の実施の形態２の自動販売機の制御を示すフローチャート
【図７】本発明の実施の形態３における自動販売機の縦断面図
【図８】本発明の実施の形態３よる自動販売機の機能ブロック図
【図９】本発明の実施の形態３の自動販売機の制御を示すフローチャート
【図１０】従来の飲料商品を冷却または加温して販売する自動販売機の縦断面図
【発明を実施するための形態】
【００２１】
第１の発明は、前面を開口した収納室と、前記収納室内に設けられ商品を収容する商品収容コラムと、下部に普段は閉じていて前記商品収容コラムから搬出された商品により押し開かれる商品搬出口を有し前記収納室の前面の開口部を開閉する内扉と、前記商品搬出口を通過した商品を取り出すための商品取出口を有し前記内扉の外側に設けられた外扉と、前記収納室内における前記商品収容コラムの下方に配置され空気循環用の通風孔を有し前方に向かって低く傾斜して前記商品収容コラムより搬出された商品を前記商品搬出口へ導くシュートと、前記収納室内で前記シュートの下方背面側に配置された加温装置及び冷却ユニットと、前記シュートと前記収納室の奥面との間に配置され上部と下部前面にそれぞれ形成された開口部により前記シュートの上下の空間を連通させるダクトと、前記ダクトと前記加温装置及び冷却ユニットを通った空気を前記シュート側に送風して前記収納室内で循環させる庫内ファンと、前記内扉の開閉を検知する内扉開閉検知手段と、前記加温装置による加温時に前記内扉開閉検知手段により前記内扉が開いたことを検知すると前記庫内ファンを強制的に強風運転させるシュート冷却制御手段とを備えたことを特徴とする自動販売機である。
【００２２】
上記構成において、オペレータが、加温装置による加温時に内扉を開くと、シュート冷却制御手段が、内扉開閉検知手段により内扉が開いたことを検知して、庫内ファンを強制的に強風運転させる。
【００２３】
ここで、シュートは、一般に比較的熱伝導性のある材料である金属板で構成され、空気循環用の通風孔が形成されているために、放熱性能に優れており、庫内ファンからの空気流との熱交換が促進され、シュートの表面温度が、庫内ファンを強制運転していなかった従来よりも早く低下すると共に、内扉を開いた直後に庫内ファンが強風運転を始めたことと、シュートを通過した熱風がシュートの前方に居るオペレータに当たることで、加温時で内扉を開いた直後はシュートの表面温度が高く、シュート面の拭き取り作業は、シュートが充分に冷却されるまで（シュートを通過した風の温度が適度に低下するまで）待つ必要があることにオペレータが気付き易くなる。
【００２４】
そのため、加温販売している商品がある自動販売機のシュート面の汚れを拭き取る作業を行う場合に、オペレータが素手でシュートに触れて火傷や怪我をしてしまう可能性が少なくなる。
【００２５】
また、シュートの冷却が送風により促進されることで、オペレータはシュート表面の汚れを拭き取る作業の開始時間を早めることができ、シュート表面の汚れを拭き取る作業を効率的に行うことができる。
【００２６】
なお、省エネや加温されていた商品が庫内ファンの強風運転により冷えてしまう不都合を考慮して、シュート冷却制御手段による内扉が開いてからの庫内ファンの強風運転は、オペレータが手動で停止できるように構成したり、シュートの温度を検知可能な温度検知手段の検知温度に応じて自動で停止または徐々に送風が弱くなるように構成したり、強風運転開始から所定時間経過すれば強風運転を終了するように構成したりすることが、望ましい。
【００２７】
その場合は、それぞれの自動販売機の設置環境や利用者の状況を考慮して、自動販売機の管理者やメンテナンス等のオペレータが任意に設定、変更できるように構成することが望ましい。
【００２８】
なお、シュート冷却制御手段による内扉が開いてからの庫内ファンの強風運転を、通常とは逆回転で行う（逆方向に送風する）ようにした場合は、シュートを通過した熱風がシュートの前方に居るオペレータに当たらなくなる分だけ、通常方向の送風の場合よりもオペレータがシュートの表面温度が高いことに気付きにくくなるが、内扉が開いた状態のシュートの前方の空気（外気）とシュートとが熱交換することになり、ダクトと加温装置を通過した空気をシュートに送風する通常方向の送風の場合よりも、シュートと熱交換する空気の温度が低くなるため、送風によるシュートの温度低下は早くなる。
【００２９】
この場合は、シュートの冷却が外気の送風により促進されることで、オペレータはシュート表面の汚れを拭き取る作業の開始時間をさらに早めることができ、シュート表面の汚れを拭き取る作業を効率的に行うことができる。
【００３０】
第２の発明は、第１の発明に加えて、前記外扉の開閉を検知する外扉開閉検知手段と、前記外扉開閉検知手段により前記外扉が開いたことを検知すると前記加温装置を停止させる加温運転制御手段とを備えたことを特徴とする。
【００３１】
上記構成において、オペレータが、加温装置による加温時に外扉を開くと、加温運転制御手段が、外扉開閉検知手段によって外扉が開いたことを検知して、加温装置を停止させる。
【００３２】
そして、加温時に外扉を開いたことを検知した時に、加温装置が停止され、加温装置の停止により、加温装置の周囲の空気の温度が徐々に低下していくので、オペレータが外扉
を開けて加温装置を手動停止させる場合よりもシュートを早く冷却させることができ、オペレータはシュート表面の汚れを拭き取る作業の開始時間を早めることができ、シュート表面の汚れを拭き取る作業を効率的に行うことができる。
【００３３】
また、加温運転制御手段が、外扉開閉検知手段によって外扉が開いたことを検知して、加温装置を停止させるので、オペレータが加温装置を手動停止させる必要がなくなり、また、オペレータが加温装置を手動停止させる作業を忘れたためにシュートの高温状態が長引く不都合が無くなる。
【００３４】
第３の発明は、第１の発明に加えて、前記外扉のロックが解除されたことを検知するロック解除検知手段と、前記ロック解除検知手段により前記外扉のロックが解除されたことを検知すると前記加温装置を停止させる加温運転制御手段とを備えたことを特徴とする。
【００３５】
上記構成において、オペレータが、加温装置による加温時に外扉のロックを解除すると、加温運転制御手段が、ロック解除検知手段によって外扉のロックが解除されたことを検知して、加温装置を停止させる。
【００３６】
そして、加温時に外扉のロック解除を検知した時に、加温装置が停止され、加温装置の停止により、加温装置の周囲の空気の温度が徐々に低下していくので、外扉を開けた時に加温装置が停止する場合よりもシュートを早く冷却させることができ、第２の発明よりもオペレータはシュート表面の汚れを拭き取る作業の開始時間を早めることができ、シュート表面の汚れを拭き取る作業を効率的に行うことができる。
【００３７】
また、加温運転制御手段が、ロック解除検知手段によって外扉のロック解除を検知して、加温装置を停止させるので、オペレータが加温装置を手動停止させる必要がなくなり、また、オペレータが加温装置を手動停止させる作業を忘れたためにシュートの高温状態が長引く不都合が無くなる。
【００３８】
以下、本発明の実施の形態について、図面を参照しながら説明する。なお、この実施の形態によってこの発明が限定されるものではない。また、従来例または先に説明した実施の形態と同一構成については、同一符号を付して、その詳細な説明は省略する。
【００３９】
（実施の形態１）
図１は、本発明の実施の形態１における自動販売機の縦断面図である。また図２は、本発明の実施の形態１による自動販売機の機能ブロック図である。
【００４０】
図１及び図２に示すように、本発明の実施の形態１の自動販売機は、自動販売機本体１に形成され前面を開口した収納室２と、収納室２内に設けられ商品を収容する商品収容コラム３と、下部に普段は搬出扉により閉じていて商品収容コラム３から搬出された商品により押し開かれる商品搬出口４を有し収納室２の前面の開口部を開閉する内扉５と、商品搬出口４を通過した商品を取り出すための商品取出口６を有し内扉５の外側に設けられた外扉７と、収納室２内における商品収容コラム３の下方に配置され空気循環用の通風孔８を有し前方に向かって低く傾斜して商品収容コラム３より搬出された商品を傾斜により商品搬出口４へ導くシュート９と、収納室２内でシュート９の下方背面側に配置された加温装置１０、冷却ユニット１１、庫内ファン１２と、シュート９と収納室２の奥面との間に配置され上部と下部前面にそれぞれ形成された開口部によりシュート９の上下の空間を連通させるダクト１３とを有している。
【００４１】
なお、冷却ユニット１１は、図１０に示す従来例と同様に、圧縮機と庫外ファンと凝縮器と蒸発器とを備え、圧縮機と凝縮器と蒸発器は順次環状に連接されて冷凍サイクルを構
成している。
【００４２】
また、冷却ユニット１１の蒸発器（図示せず）は、ダクト１３の下部前面の開口部と対向するように収納室２内でシュート９の下方背面側に配置され、収納室２内の空気と熱交換して収納室２内の空気を冷却する。
【００４３】
庫内ファン１２の風上側には蒸発器（図示せず）が配置され、庫内ファン１２の風下側には加温装置１０が配置される。そして、庫内ファン１２は、ダクト１３と加温装置１０及び冷却ユニット１１を通った空気をシュート９側（前方）に送風して収納室２内で循環させる。
【００４４】
本実施の形態の自動販売機は、図１０に示す従来例の構成に加えて、内扉５の開閉状態に応じてＯＮ／ＯＦＦする内扉スイッチ１９を用いて内扉５の開閉を検知する内扉開閉検知手段としての第１検知部２０を備えると共に、第１検知部２０（内扉開閉検知手段）と庫内ファン１２とに接続された制御部２１内に、加温装置１０による加温時に第１検知部２０（内扉開閉検知手段）により内扉５が開いたことを検知すると庫内ファン１２を強制的に強風運転させるシュート冷却制御手段を設けたものである。
【００４５】
以上のように構成された本発明の実施の形態１の自動販売機の動作について、以下、図３を参照しながら説明する。図３は、本発明の実施の形態１の自動販売機の制御装置の動作を示すフローチャートである。
【００４６】
図３のフローチャートのスタートは、内扉５が閉まっていて、加温装置１０が運転している状態である。
【００４７】
まず、ＳＴＥＰ１にて、第１検知部２０（内扉開閉検知手段）が、内扉５に備え付けられた内扉スイッチ１９のＯＮ／ＯＦＦを基に、現在の内扉５の開閉状態を検知する。
【００４８】
次のＳＴＥＰ２では、制御部２１内のシュート冷却制御手段が、ＳＴＥＰ１で第１検知部２０により検知した結果から、内扉５の開閉の有無の判別を行う。
【００４９】
そして、内扉５が閉じているなら、ＳＴＥＰ２をＮｏ側に分岐してＳＴＥＰ１に戻り、逆に、内扉５が開いているならば、ＳＴＥＰ２をＹｅｓ側に分岐して次のＳＴＥＰ３で制御部２１内のシュート冷却制御手段が、庫内ファン１２を３０分間強風運転する。
【００５０】
一般に、加温装置１０は、加温装置１０の熱を収納室２内の商品収容コラム３の加温に有効に利用するために、庫内ファン１２の風下側で、シュート９の近くに位置している。そのため、一般に金属板で構成されるシュート９は、加温装置１０の熱の影響を受けやすい。
【００５１】
また、商品収容コラムの収容スペースを大きくするために、シュート９の傾斜を緩やかに（傾斜角度を小さく）している自動販売機では、シュート９の上面側に形成されるシュート面が汚れると、商品のすべり（転がり）が悪くなり、商品収容コラム３より搬出された商品を商品搬出口４にスムーズに導くことができなくなり、商品搬出口４を押し開く商品の力が弱い場合には、商品が商品搬出口４を通過できず、商品の搬出不良を起こす原因となる。
【００５２】
そのため、自動販売機のオペレータは、定期的に、外扉７と内扉５を開いて、雑巾などでシュート９のシュート面の汚れを拭き取っているが、加温販売している商品がある場合に、加温装置１０の熱の影響で高温状態のシュート９に素手で触れてしまったために、手
に火傷をすることがあり、また、手に火傷をしないまでも、シュート９の予想外の熱さに、思わず跳び上がったり、思わず手を引っ込めたりしたときに、身体のどこかを何かにぶつけて怪我をすることがあった。
【００５３】
そこで、本実施の形態１の自動販売機は、上記従来の課題を解決するために、図１０に示す従来例の構成に加えて、内扉５の開閉状態に応じてＯＮ／ＯＦＦする内扉スイッチ１９を用いて内扉５の開閉を検知する内扉開閉検知手段としての第１検知部２０を備えると共に、第１検知部２０（内扉開閉検知手段）と庫内ファン１２とに接続された制御部２１内に、加温装置１０による加温時に第１検知部２０（内扉開閉検知手段）により内扉５が開いたことを検知すると庫内ファン１２を強制的に所定時間（本実施の形態では３０分間）強風運転させるシュート冷却制御手段を設けたのである。
【００５４】
上記構成において、オペレータが、加温装置１０による加温時に内扉５を開くと、制御部２１内のシュート冷却制御手段が、第１検知部２０（内扉開閉検知手段）により内扉５が開いたことを検知して、庫内ファン１２を強制的に所定時間（本実施の形態では３０分間）強風運転させる。
【００５５】
ここで、シュート９は、一般に比較的熱伝導性のある材料である金属板で構成され、空気循環用の通風孔８が形成されているために、放熱性能に優れており、庫内ファン１２からの空気流との熱交換が促進され、シュート９の表面温度が、庫内ファン１２を強制運転していなかった従来よりも早く低下すると共に、内扉５を開いた直後に庫内ファン１２が強風運転を始めたことと、シュート９を通過した熱風がシュート９の前方に居るオペレータに当たることで、加温時で内扉５を開いた直後はシュート９の表面温度が高く、シュート面の拭き取り作業は、シュート９が充分に冷却されるまで（シュート９を通過した風の温度が適度に低下するまで）待つ必要があることにオペレータが気付き易くなる。
【００５６】
そのため、加温販売している商品がある自動販売機のシュート面の汚れを拭き取る作業を行う場合に、オペレータが素手でシュート９に触れて火傷や怪我をしてしまう可能性が少なくなる。
【００５７】
また、シュート９の冷却が送風により促進されることで、オペレータはシュート表面の汚れを拭き取る作業の開始時間を早めることができ、シュート表面の汚れを拭き取る作業を効率的に行うことができる。
【００５８】
なお、本実施の形態では、省エネや加温されていた商品が庫内ファン１２の強風運転により冷えてしまう不都合を考慮して、シュート冷却制御手段による内扉５が開いてからの庫内ファンの強風運転は、３０分で終了するようにしたが、オペレータが手動で停止できるように構成したり、シュートの温度を検知可能な温度検知手段の検知温度に応じて自動で停止または徐々に送風が弱くなるように構成したりしても構わず、強風運転する時間や上記の他の仕様は、それぞれの自動販売機の設置環境や利用者の状況を考慮して、自動販売機の管理者やメンテナンス等のオペレータが任意に設定、変更できるように構成することが望ましい。
【００５９】
なお、シュート冷却制御手段による内扉５が開いてからの庫内ファン１２の強風運転を、通常とは逆回転で行う（逆方向に送風する）ようにした場合は、シュート９を通過した熱風がシュート９の前方に居るオペレータに当たらなくなる分だけ、通常方向の送風の場合よりもオペレータがシュート９の表面温度が高いことに気付きにくくなるが、内扉５が開いた状態のシュート９の前方の空気（外気）とシュート９とが熱交換することになり、ダクト１３と加温装置１０を通過した空気をシュート９に送風する通常方向の送風の場合よりも、シュート９と熱交換する空気の温度が低くなるため、送風によるシュート９の温
度低下は早くなる。
【００６０】
この場合は、シュート９の冷却が外気の送風により促進されることで、オペレータはシュート表面の汚れを拭き取る作業の開始時間をさらに早めることができ、シュート表面の汚れを拭き取る作業を効率的に行うことができる。
【００６１】
（実施の形態２）
図４は、本発明の実施の形態２における自動販売機の縦断面図である。また図５は、本発明の実施の形態２による自動販売機の機能ブロック図である。
【００６２】
図４及び図５に示すように、本発明の実施の形態１の自動販売機は、実施の形態１の構成に加え、外扉７の開閉状態に応じてＯＮ／ＯＦＦする外扉スイッチ２２を用いて外扉７の開閉を検知する外扉開閉検知手段としての第２検知部２３を備え、第２検知部２３（外扉開閉検知手段）と加温装置１０とに接続された制御部２１内に第２検知部２３（外扉開閉検知手段）により外扉７が開いたことを検知すると加温装置１０を停止させる加温運転制御手段を有している。
【００６３】
以上のように構成された本発明の実施の形態２の自動販売機の動作について、以下、図６を参照しながら説明する。図６は、本発明の実施の形態２の自動販売機の制御装置の動作を示すフローチャートである。
【００６４】
図７のフローチャートのスタートは、外扉７が閉まっていて、加温装置１０が運転している状態である。
【００６５】
まず、ＳＴＥＰ４にて、第２検知部２３（外扉開閉検知手段）が、外扉７に備え付けられた外扉スイッチ２２のＯＮ／ＯＦＦを基に、現在の外扉７の開閉状態を検知する。
【００６６】
次のＳＴＥＰ５では、制御部２１内の加温運転制御手段が、ＳＴＥＰ４で第２検知部２３により検知した結果から、外扉７の開閉の判別を行う。
【００６７】
そして、外扉７が閉じているなら、ＳＴＥＰ５をＮｏ側に分岐してＳＴＥＰ４に戻り、逆に、外扉７が開いているならば、ＳＴＥＰ５をＹｅｓ側に分岐して次のＳＴＥＰ６で制御部２１内の加温運転制御手段が、加温装置１０を２時間停止する。
【００６８】
なお、本実施の形態では、加温し忘れを防止するため、加温運転制御手段による外扉７が開いてからの加温装置１０の停止時間は２時間としたが、オペレータが手動で停止できるように構成したりしても構わず、それぞれの自動販売機の設置環境や利用者の状況を考慮して、自動販売機の管理者やメンテナンス等のオペレータが任意に設定、変更できるように構成することが望ましい。
【００６９】
以上のように本実施の形態２の自動販売機は、外扉７の開閉を検知する外扉開閉検知手段としての第２検知部２３と、第２検知部２３（外扉開閉検知手段）により外扉７が開いたことを検知すると加温装置１０を停止させる加温運転制御手段とを備えたことを特徴とする。
【００７０】
上記構成において、オペレータが、加温装置１０による加温時に外扉７を開くと、加温運転制御手段が、第２検知部２３（外扉開閉検知手段）によって外扉７が開いたことを検知して、加温装置１０を停止させる。
【００７１】
そして、加温時に外扉７を開いたことを検知した時に、加温装置１０が停止され、加温
装置１０の停止により、加温装置１０の周囲の空気の温度が徐々に低下していくので、オペレータが外扉７を開けて加温装置１０を手動停止させる場合よりもシュート９を早く冷却させることができ、オペレータはシュート９表面の汚れを拭き取る作業の開始時間を早めることができ、シュート９表面の汚れを拭き取る作業を効率的に行うことができる。
【００７２】
また、加温運転制御手段が、第２検知部２３（外扉開閉検知手段）によって外扉７が開いたことを検知して、加温装置１０を停止させるので、オペレータが加温装置１０を手動停止させる必要がなくなり、また、オペレータが加温装置１０を手動停止させる作業を忘れたためにシュート９の高温状態が長引く不都合が無くなる。
【００７３】
（実施の形態３）
図７は、本発明の実施の形態３における自動販売機の縦断面図である。また図８は、本発明の実施の形態３による自動販売機の機能ブロック図である。
【００７４】
図７及び図８に示すように、本発明の実施の形態３の自動販売機は、実施の形態１の構成に加え、外扉７を施錠／解錠するロック装置２４の施錠／解錠に応じてＯＮ／ＯＦＦするロックスイッチ２５を用いて外扉７のロックが解除された（ロック装置２４が解錠された）ことを検知するロック解除検知手段としての第３検知部２６を備え、第３検知部２６（ロック解除検知手段）と加温装置１０とに接続された制御部２１内に第３検知部２６（ロック解除検知手段）により外扉７のロックが解除されたことを検知すると加温装置１０を停止させる加温運転制御手段とを有している。
【００７５】
以上のように構成された本発明の実施の形態３の自動販売機の動作について、以下、図９を参照しながら説明する。図９は、本発明の実施の形態３の自動販売機の制御装置の動作を示すフローチャートである。
【００７６】
図１０のフローチャートのスタートは、ロック装置２４が外扉７をロック（施錠）していて、加温装置１０が運転している状態である。
【００７７】
まず、ＳＴＥＰ７にて、第３検知部２６（ロック解除検知手段）が、ロック装置２４に備え付けられたロックスイッチ２５のＯＮ／ＯＦＦを基に、現在のロック装置２４の施錠／解錠状態（外扉７がロックされているか否か）を検知する。
【００７８】
次のＳＴＥＰ８では、制御部２１内の加温運転制御手段が、ＳＴＥＰ７で第３検知部２６により検知した結果から、外扉７がロックされているか否か（ロック装置２４の施錠／解錠）の判別を行う。
【００７９】
そして、外扉７がロックされているなら、ＳＴＥＰ８をＮｏ側に分岐してＳＴＥＰ７に戻り、逆に、外扉７のロックが解除しているならば、ＳＴＥＰ８をＹｅｓ側に分岐して次のＳＴＥＰ９で制御部２１内の加温運転制御手段が、加温装置１０を２時間停止する。
【００８０】
なお、本実施の形態では、加温し忘れを防止するため、加温運転制御手段による外扉７が開いてからの加温装置１０の停止時間は２時間としたが、オペレータが手動で停止できるように構成したりしても構わず、それぞれの自動販売機の設置環境や利用者の状況を考慮して、自動販売機の管理者やメンテナンス等のオペレータが任意に設定、変更できるように構成することが望ましい。
【００８１】
以上のように本実施の形態３の自動販売機は、外扉７のロックが解除されたことを検知するロック解除検知手段としての第３検知部２６と、第３検知部２６（ロック解除検知手段）により外扉７のロックが解除されたことを検知すると加温装置１０を停止させる加温
運転制御手段とを備えることを特徴とする。
【００８２】
上記構成において、オペレータが、加温装置１０による加温時に外扉７のロックを解除すると、加温運転制御手段が、ロック解除検知手段としての第３検知部２６によって外扉７のロックが解除されたことを検知して、加温装置１０を停止させる。
【００８３】
そして、加温時に外扉７のロック解除を検知した時に、加温装置１０が停止され、加温装置１０の停止により、加温装置１０の周囲の空気の温度が徐々に低下していくので、外扉７を開けた時に加温装置１０が停止する場合よりもシュート９を早く冷却させることができ、実施の形態２よりもオペレータはシュート表面の汚れを拭き取る作業の開始時間を早めることができ、シュート表面の汚れを拭き取る作業を効率的に行うことができる。
【００８４】
また、加温運転制御手段が、ロック解除検知手段（第３検知部２６）によって外扉７のロック解除を検知して、加温装置１０を停止させるので、オペレータが加温装置１０を手動停止させる必要がなくなり、また、オペレータが加温装置１０を手動停止させる作業を忘れたためにシュート９の高温状態が長引く不都合が無くなる。
【産業上の利用可能性】
【００８５】
以上のように、本発明の自動販売機は、オペレータが従来よりも安全に効率よくシュート表面の汚れを拭き取ることができるので、オペレータがシュート表面の汚れを拭き取る作業を有し、冷却または加温して販売するあらゆる自動販売機器の用途に適用できる。
【符号の説明】
【００８６】
１  自動販売機本体
２  収納室
３  商品収容コラム
４  商品搬出口
５  内扉
６  商品取出口
７  外扉
８  通風孔
９  シュート
１０  加温装置
１１  冷却ユニット
１２  庫内ファン
１３  ダクト
２０  第１検知部（内扉開閉検知手段）
２３  第２検知部（外扉開閉検知手段）
２４  ロック装置
２６  第３検知部（ロック解除検知手段）
【図１】
2014153796.tif 000003
【図２】
2014153796.tif 000004
【図３】
2014153796.tif 000005
【図４】
2014153796.tif 000006
【図５】
2014153796.tif 000007
【図６】
2014153796.tif 000008
【図７】
2014153796.tif 000009
【図８】
2014153796.tif 000010
【図９】
2014153796.tif 000011
【図１０】
2014153796.tif 000012